(57)【要約】      （修正有）【課題】背凭れのリクライニング角度を調整することができる椅子構造を提供する。【解決手段】椅子構造は、椅子本体１０、背凭れ２０及び少なくとも１つのリクライニングアセンブリ３０を備える。椅子本体１０のベース１１は、上端にシート面１２が接続され、下端の底面１４は、脚フレーム１３により支持される。底面１４の前端には、後ろ向きに穿設孔１４２が設けられる収納空間１４１が開設される。底面１４の後端には、回転軸１７がベース１１を横向きに貫くように配置されている。背凭れ２０は、下縁部に接続部材２１の一方の端部が接続され、接続部材２１の他方の端部は、椅子１０の回転軸１７に枢着される。接続部材２１には、連動孔２１１が設けられる。リクライニングアセンブリの牽引紐の端部に、突設孔１４２との間に弾性部材３２が挟設されるボルト３１１が接続される。ボルト３１１の調節棒３３が螺着される。【選択図】図２
0003168123.tif 000002
【実用新案登録請求の範囲】
【請求項１】
椅子本体、背凭れ及び少なくとも１つのリクライニングアセンブリを備える椅子構造であって、
前記椅子本体は、ベース、シート面及び脚フレームを有し、前記ベースは、上端に前記シート面が接続され、下端に底面が設けられ、前記底面は、前記脚フレームにより支持され、前記底面の前端には、収納空間が開設され、前記収納空間は、後ろ向きに穿設孔が設けられ、前記底面の後端には、回転軸が前記ベースを横向きに貫くように配置され、
前記背凭れは、下縁部に接続部材の一方の端部が接続され、前記接続部材の他方の端部は、前記椅子の前記回転軸に枢着され、前記接続部材には、連動孔が設けられ、
前記リクライニングアセンブリは、牽引紐、弾性部材及び調整棒を有し、前記牽引紐は、一方の端部にボルトが接続され、他方の端部にストッパが接続され、前記ボルトには、前記弾性部材が外嵌され、前記調整棒は、前記ボルトに螺着され、前記牽引紐の前記ストッパが接続された端部は、前記接続部材の前記連動孔に固定され、前記ボルトは、前記穿設孔に貫設され、前記調整棒は、前記収納空間内の前記ボルトに螺着され、前記穿設孔と前記ボルトとの間には、前記弾性部材が挟設されてなることを特徴とする椅子構造。
【請求項２】
前記シート面の前端と前記ベースの前端とは、主枢軸により枢着され、
前記シート面の後端には、ローラが下向きに延設され、前記接続部材には、前記シート面の前記ローラの端部を支持する軌道溝が開設されてなることを特徴とする請求項１に記載の椅子構造。
【請求項３】
前記調整棒は、多角形の棒体であり、回転つまみが外嵌され、
前記回転つまみには、前記調整棒の形状に合わせて形成された多角形状の孔部が設けられ、前記調整棒を回転させる嵌合棒が配置されてなることを特徴とする請求項１に記載の椅子構造。
【請求項４】
前記回転つまみは、前記ベースの前記収納空間の開口部外に突設され、前記嵌合棒を介して前記調整棒に接続されてなることを特徴とする請求項３に記載の椅子構造。
【請求項５】
前記回転つまみは、前記ベースの前記収納空間内に配置され、前記収納空間には、前記回転つまみを露出させる回転つまみ孔が設けられてなることを特徴とする請求項３に記載の椅子構造。
【請求項６】
前記ベースの前記回転軸には、２つの独立した前記接続部材が枢着され、
前記接続部材は、前記背凭れにそれぞれ接続され、前記リクライニングアセンブリにより制御され、前記背凭れが２つである形態を構成してなることを特徴とする請求項１に記載の椅子構造。
【請求項７】
前記ベースの前記回転軸には、前記接続部材が枢着され、前記背凭れの底端には、前記背凭れを前記接続部材の遊端部に固定する背杆が延設され、前記背凭れが１つである形態を構成してなることを特徴とする請求項１に記載の椅子構造。
【請求項８】
前記ベースの前記回転軸には、複数の前記接続部材が枢着され、中央部の前記接続部材には、腰保護棒が接続され、前記腰保護棒の末端には、腰を保護するための腰保護部が接続されてなることを特徴とする請求項１に記載の椅子構造。
【請求項９】
前記ベースの前記底面と前記接続部材とには、枢着部が突設され、２つの前記枢着部間には、前記底面及び前記接続部材にかかる圧力を低減させる気圧シリンダが接続されてなることを特徴とする請求項１に記載の椅子構造。
【請求項１０】
前記ベースの前記底面は、前記穿設孔の後ろに、収納溝が凹設され、前記収納溝の中段部及び末段部には、第１の掛け渡し部及び第２の掛け渡し部がそれぞれ設けられ、前記第１の掛け渡し部及び前記第２の掛け渡し部には、プーリ及び摺動部材がそれぞれ取り付けられてなることを特徴とする請求項１に記載の椅子構造。
【考案の詳細な説明】
【技術分野】
【０００１】
本考案は、椅子構造に関するものであり、さらに詳しくは、背凭れのリクライニング角度を調整することができる椅子構造に関するものである。
【背景技術】
【０００２】
従来の可動式の椅子は、一般にシートに着脱自在に接続された背凭れと、シートの底部を支持する脚とを有するものである。また、背凭れとシートとの間には、弾性板が接続されている。かかる構造の椅子は、ユーザが寄りかかり、背中により背凭れに対し後ろ向きの力が加えられると、弾性板が弾性変形することにより、リクライニング状態又は元の形態に復位するように構成されている。
しかし、従来の構造は、弾性板が長期間使用されると、へたりが生じて背凭れのリクライニング角度が大きくなりすぎて復位にかかる時間が長くなり、座るときの快適性が低下するという欠点がある。
【０００３】
かかる状況下において、リクライニング構造として例えば、特許第３９７４４２５に記載の提案がされているが、リクライニング角度の調整になお改良すべき点が残されていた。
【特許文献１】特許第３９７４４２５号公報
【考案の開示】
【考案が解決しようとする課題】
【０００４】
従って、本考案の課題は、椅子の回転軸に枢着された接続部材と、牽引紐及び弾性部材とにより、リクライニング角度を制限又は復位させることができ、ユーザの着座快適性が向上する椅子構造を提供することにある。
【課題を解決するための手段】
【０００５】
そこで、本考案者は、前記の本考案の課題を解決するため、鋭意検討を重ねた結果、椅子の回転軸に枢着された接続部材と、索引紐及び弾性部材とにより、リクライニング角度を制御し又は復位させることができ、調整棒を回転させると、内部のボルトが回転して調整棒の端部に向かって移動することにより、弾性部材が圧縮して活動空間を縮小させることにより、背凭れのリクライニング角度を調整し、ユーザーが着座するとき、快適性が得られることに着目し、本考案に想到した。
【０００６】
かくして、上記課題を解決するために、本考案によれば、
椅子本体、背凭れ及び少なくとも１つのリクライニングアセンブリを備える椅子構造であって、
前記椅子本体は、ベース、シート面及び脚フレームを有し、前記ベースは、上端に前記シート面が接続され、下端に底面が設けられ、前記底面は、前記脚フレームにより支持され、前記底面の前端には、収納空間が開設され、前記収納空間は、後ろ向きに穿設孔が設けられ、前記底面の後端には、回転軸が前記ベースを横向きに貫くように配置され、
前記背凭れは、下縁部に接続部材の一方の端部が接続され、前記接続部材の他方の端部は、前記椅子の前記回転軸に枢着され、前記接続部材には、連動孔が設けられ、
前記リクライニングアセンブリは、牽引紐、弾性部材及び調整棒を有し、前記牽引紐は、一方の端部にボルトが接続され、他方の端部にストッパが接続され、前記ボルトには、前記弾性部材が外嵌され、前記調整棒は、前記ボルトに螺着され、前記牽引紐の前記ストッパが接続された端部は、前記接続部材の前記連動孔に固定され、前記ボルトは、前記穿設孔に貫設され、前記調整棒は、前記収納空間内の前記ボルトに螺着され、前記穿設孔と前記ボルトとの間には、前記弾性部材が挟設されてなることを特徴とする椅子構造
が提供される。
【０００７】
前記シート面の前端と前記ベースの前端とは、主枢軸により枢着され、前記シート面の後端には、ローラが下向きに延設され、前記接続部材には、前記シート面の前記ローラの端部を支持する軌道溝が開設されてなることが好ましい。
【０００８】
前記調整棒は、多角形の棒体であり、回転つまみが外嵌され、前記回転つまみには、前記調整棒の形状に合わせて形成された多角形状の孔部が設けられ、前記調整棒を回転させる嵌合棒が配置されてなることが好ましい。
【０００９】
前記回転つまみは、前記ベースの前記収納空間の開口部外に突設され、前記嵌合棒を介して前記調整棒に接続されてなることが好ましい。
【００１０】
前記回転つまみは、前記ベースの前記収納空間内に配置され、前記収納空間には、前記回転つまみを露出させる回転つまみ孔が設けられてなることが好ましい。
【００１１】
前記ベースの前記回転軸には、２つの独立した前記接続部材が枢着され、前記接続部材は、前記背凭れにそれぞれ接続され、前記リクライニングアセンブリにより制御され、前記背凭れが２つである形態を構成してなることが好ましい。
【００１２】
前記ベースの前記回転軸には、前記接続部材が枢着され、前記背凭れの底端には、前記背凭れを前記接続部材の遊端部に固定する背杆が延設され、前記背凭れが１つである形態を構成してなることが好ましい。
【００１３】
前記ベースの前記回転軸には、複数の前記接続部材が枢着され、中央部の前記接続部材には、腰保護棒が接続され、前記腰保護棒の末端には、腰を保護するための腰保護部が接続されてなることが好ましい。
【００１４】
前記ベースの前記底面と前記接続部材とには、枢着部が突設され、２つの前記枢着部間には、前記底面及び前記接続部材にかかる圧力を低減させる気圧シリンダが接続されてなることが好ましい。
【００１５】
前記ベースの前記底面は、前記穿設孔の後ろに、収納溝が凹設され、前記収納溝の中段部及び末段部には、第１の掛け渡し部及び第２の掛け渡し部がそれぞれ設けられ、前記第１の掛け渡し部及び前記第２の掛け渡し部には、プーリ及び摺動部材がそれぞれ取り付けられてなることが好ましい。
【図面の簡単な説明】
【００１６】
【図１】本考案の一実施形態による椅子構造を示す斜視図である。
【図２】本考案の一実施形態による椅子構造の断面を示す分解斜視図である。
【図３】本考案の一実施形態による椅子構造を示す断面図である。
【図４】本考案の一実施形態による椅子構造の背凭れがリクライニングするときの状態を示す断面図である。
【図５】本考案の一実施形態による椅子構造の背凭れがリクライニングするときの状態を示す部分拡大図である。
【図６】本考案の一実施形態による椅子構造の調整棒を回転させるときの状態を示す部分拡大図である。
【図７】本考案の一実施形態による椅子構造の調整棒に回転つまみを接続するときの状態を示す斜視図である。
【図８】本考案の一実施形態による椅子構造の調整棒に回転つまみを接続したときの状態を示す斜視図である。
【図９】本考案の一実施形態による椅子構造の背凭れが２つであるときの状態を示す斜視図である。
【図１０】本考案の一実施形態による椅子構造の背凭れが１つであるときの状態を示す斜視図である。
【図１１】本考案の一実施形態による椅子構造の腰を保護する機能を有するときの状態を示す斜視図である。
【図１２】本考案の一実施形態による椅子構造が気圧シリンダを有する状態を示す斜視図である。
【図１３】本考案の一実施形態による椅子構造が気圧シリンダを有する状態を示す斜視図である。
【図１４】本考案の一実施形態による椅子構造が気圧シリンダを有する状態を示す斜視図である。
【考案を実施するための最良の形態】
【００１７】
以下、本考案の実施形態について図面に基づいて説明する。なお、これによって本考案が限定されるものではない。
【００１８】
図１及び図２を参照する。図１及び図２に示すように、本考案の一実施形態による椅子構造は、少なくとも椅子本体１０、背凭れ２０及び少なくとも１つのリクライニングアセンブリ３０から構成されたものである。
【００１９】
背凭れ２０は、リクライニングアセンブリ３０が引っ張られることにより、揺動する機能を有する。椅子本体１０は、ベース１１、シート面１２及び脚フレーム１３から構成されている。ベース１１は、上端にシート面１２が接続され、下端に底面１４が設けられている。底面１４は、脚フレーム１３により支持されている。底面１４の前端には、収納空間１４１が開設されている。収納空間１４１の後端には、後ろ向きに穿設孔１４２が設けられている。穿設孔１４２の後ろには、収納溝１４３が凹設されている。収納溝１４３の中間部及び末端部には、第１の掛け渡し部１４４及び第２の掛け渡し部１４５が設けられている。第１掛渡部１４４及び第２掛渡部１４５には、プーリ１５及び摺動部材１６がそれぞれ取り付けられている。本実施形態の摺動部材１６は車輪体であるが、棒体でもよい。底面１４の後端部には、ベース１１を横向きに貫くように回転軸１７が配置されている。
【００２０】
背凭れ２０は、下縁部に接続部材２１が接続されている。背凭れ２０と接続部材２１とは、一体成形方式又は軸着方式で固定してもよい。接続部材２１の他方の端部（背凭れ２０が接続されている側とは反対側の端部）は、椅子本体１０の回転軸１７に枢着されている。接続部材２１には、連動孔２１１が設けられている。シート面１２の前端と、ベース１１の前端とは、主枢軸１８により枢着されている。
【００２１】
シート面１２の後端には、ローラ１２１が下向きに延設されている。接続部材２１には、シート面１２のローラ１２１の端部を支持する軌道溝２１２が開設されている。
少なくとも１つのリクライニングアセンブリ３０は、牽引紐３１、弾性部材３２及び調整棒３３を有する。牽引紐３１は、一方の端部にボルト３１１が接続され、他方の端部にストッパ３１２が接続されている。ボルト３１１には、弾性部材３２が外嵌され、調整棒３３が螺着されている。牽引紐３１のストッパ３１２が接続された端部は、接続部材２１の連動孔２１１に固定される。牽引紐３１は、摺動部材１６に掛け渡され、収納溝１４３に沿って、ベース１１の底面１４に配置されている。牽引紐３１の中間部は、プーリ１５の外端に摺設されている。ボルト３１１は、穿設孔１４２に貫設され、調整棒３３は、収納空間１４１内のボルト３１１に螺着されている。穿設孔１４２と調整棒３３との間には、弾性部材３２が挟設されている。
【００２２】
図２及び図３を参照する。図２及び図３に示すように、本考案の一実施形態による椅子構造は、椅子本体１０のベース１１の上端にシート面１２が配置されている。ベース１１の底面１４には、脚フレーム１３が接続されている。ベース１１の回転軸１７に、背凭れ２０の接続部材２１が枢着され、椅子が構成される。ベース１１の底面１４には、リクライニングアセンブリ３０を配置するための収納空間１４１及び収納溝１４３が開設されている。収納溝１４３には、牽引紐３１がスムーズに動くようにプーリ１５及び摺動部材１６が配置されている。リクライニングアセンブリ３０は、牽引紐３１、弾性部材３２及び調整棒３３を有する。牽引紐３１の端部に接続されたストッパ３１２を接続部材２１の連動孔２１１に貫設させ、連動孔２１１を塞ぐようにワッシャ３１３を取り付けると、引張り強さを大きくすることができる。牽引紐３１を連動孔２１１の底面１４の端部に配置された摺動部材１６に掛け渡すことにより、牽引紐３１の動く方向を変えることができる。牽引紐３１は、収納溝１４３に沿って張り、ベース１１の外端からプーリ１５上に摺設される。穿設孔１４２内に牽引紐３１を入れると、牽引紐３１に接続されたボルト３１１が収納空間１４１の中に収納される。ボルト３１１には、弾性部材３２が外嵌されている。ボルト３１１に調整棒３３を螺着させ、弾性部材３２の調整棒３３側の端部にストッパ片３２１を配置すると、弾性部材３２は、調整棒３３の端部に位置決めされる。背凭れ２０が後ろにリクライニングされると、牽引紐３１が連動部材２１により引っ張られ、弾性部材３２の弾性により、背凭れ２０がリクライニング状態となり、又は復位する。
【００２３】
図２、図４及び図５を参照する。図２、図４及び図５に示すように、本考案の一実施形態による椅子構造を実際に使用するとき、背凭れ２０の端部を押下すると、背凭れ２０が接続部材２１に接続されており、接続部材２１が椅子本体１０の回転軸１７に枢着されているため、椅子本体１０の回転軸１７が回転する。リクライニングする際、接続部材２１の連動孔２１１により、牽引紐３１のストッパ３１２の端部が引っ張られる。これにより、牽引紐３１は、摺動部材１６、収納溝１４３及びプーリ１５に沿って、接続部材２１の端部に向かって動く。牽引紐３１の収納空間１４１内に収納される端部は、ボルト３１１及び調整棒３３により連動される。穿設孔１４２の外縁と調整棒３３との間には、弾性部材３２が挟設されている。弾性部材３２が圧縮されると、背凭れ２０のリクライニング角度が制限される。同じ道理により、背凭れ２０に力が加えられなくなると、弾性部材３２の弾性により、牽引紐３１が引き戻され、接続部材２１及び背凭れ２０が復位する。
【００２４】
図６を参照する。図６に示すように、長期間の使用により弾性部材３２にへたりが生じると、背凭れ２０のリクライニング角度が大きくなったり、背凭れ２０の復位にかかる時間が長くなったりする。このとき、収納空間１４１内の調整棒３３を回転させると、それにともないボルト３１１も回転する。調整棒３３は、ボルト３１１側に向かって移動し、弾性部材３２を圧縮し、活動空間を狭めることにより、背凭れ２０のリクライニング角度を調整することができる。調整棒３３は、収納空間１４１の外に引き出されて直接回転されたり、収納空間１４１内に挿入されたハンドツールにより回転されたりする。
【００２５】
図７を参照する。図７に示すように、調整棒３３を回転させると、背凭れ２０のリクライニング角度を調整することができる。調整棒３３は、多角形の棒体であり、回転つまみ３４が外嵌されている。回転つまみ３４には、調整棒３３の形状に合わせて多角形状に形成された孔部を有する嵌合棒３４１が配置されている。調整棒３３は、嵌合棒３４１を用いることにより容易に回転させることができる。回転つまみ３４は、ベース１１の収納空間１４１の開口部外に突設され、嵌合棒３４１を介して調整棒３３に接続されている。
【００２６】
図８を参照する。図８に示すように、回転つまみ３４は、ベース１１の収納空間１４１内に配置されている。収納空間１４１には、回転つまみ３４を露出させて配置するために用いる回転つまみ孔１４６が設けられ、調整効果を得ることができる。
【００２７】
図９を参照する。図９に示すように、ベース１１の回転軸１７には、２つの独立した接続部材２１ａ，２１ｂが枢着されている。接続部材２１ａ，２１ｂは、背凭れ２０ａ，２０ｂにそれぞれ接続され、リクライニングアセンブリ３０によりそれぞれ制御され、背凭れが２つである形態を構成する。
【００２８】
図１０を参照する。図１０に示すように、ベース１１の回転軸１７には、接続部材２１が枢着されている。背凭れ２０の底端には、背凭れ２０を接続部材２１の遊端部に固定した背杆２２が延設され、背凭れが１つである形態を構成する。
【００２９】
図１１を参照する。図１１に示すように、ベース１１の回転軸１７には、２つの独立した接続部材２１ａ，２１ｂがそれぞれ枢着されている。中央部の接続部材２１ａには、腰保護棒２３が接続されている。腰保護棒２３の末端には、腰を保護するために用いる腰保護部２４が接続されている。
【００３０】
図１２及び図１３を参照する。図１２及び図１３に示すように、ベース１１の底面１４と接続部材２１とには、枢着部１４７，２１３が突設されている。２つの枢着部１４７，２１３間には、気圧シリンダ２５が接続されている。気圧シリンダ２５により、底面１４及び接続部材２１にかかる圧力を低減させることにより、ユーザが座ったときの快適性を高めることができる。
【００３１】
図１４を参照する。図１４に示すように、脚フレーム１３には、気圧シリンダ２５の端部が接続される枢着部１３１が設けられている。
【００３２】
上述したことから分かるように、本考案の椅子構造は、以下の長所を有する。
【００３３】
背凭れ２０は、椅子１０の回転軸１７に枢着された接続部材２１と、牽引紐３１及び弾性部材３２とにより、リクライニング角度を制限又は復位させたりすることができる。調整棒３３を回転させると、内部のボルト３１１が回転して調整棒３３の端部に向かって移動することにより、弾性部材３２が圧縮して活動空間を縮小させることにより、背凭れ２０のリクライニング角度を調整することができるため、ユーザが座るときの快適性が高まる。
【００３４】
本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３５】
１０  椅子本体
１１  ベース
１２  シート面
１３  脚フレーム
１４  底面
１５  プーリ
１６  摺動部材
１７  回転軸
１８  主枢軸
２０  背凭れ
２０ａ  背凭れ
２０ｂ  背凭れ
２１  接続部材
２１ａ  接続部材
２１ｂ  接続部材
２２  背杆
２３  腰保護棒
２４  腰保護部
２５  気圧シリンダ
３０  リクライニングアセンブリ
３１  牽引紐
３２  弾性部材
３３  調整棒  
３４  回転つまみ
１２１  ローラ
１３１  枢着部
１４１  収納空間
１４２  穿設孔
１４３  収納溝
１４４  第１掛渡部
１４５  第２掛渡部
１４６  回転つまみ孔
１４７  枢着部
２１１  連動孔
２１２  軌道溝
２１３  枢着部
３１１  ボルト
３１２  ストッパ
３１３  ワッシャ
３２１  ストッパ片
３４１  嵌合棒
【図１】
0003168123.tif 000003
【図２】
0003168123.tif 000004
【図３】
0003168123.tif 000005
【図４】
0003168123.tif 000006
【図５】
0003168123.tif 000007
【図６】
0003168123.tif 000008
【図７】
0003168123.tif 000009
【図８】
0003168123.tif 000010
【図９】
0003168123.tif 000011
【図１０】
0003168123.tif 000012
【図１１】
0003168123.tif 000013
【図１２】
0003168123.tif 000014
【図１３】
0003168123.tif 000015
【図１４】
0003168123.tif 000016